(57)【要約】【課題】自転車に対する取り付け及び取り外しを容易にすると共に、取り外し時に座席全体をコンパクトに折りたためる構造とし、持ち運びし易く且つ未使用時に家などに収納しておくことができる折りたたみ可能な自転車用子供乗せを提供する。【解決手段】本発明の自転車用子供乗せ１は、子供が前方を向いて着座する座部２と、着座した子供が凭れる背もたれ部３と、座部２の前側に設けられ、着座した子供の足を載置することができる左右一対のステップ台１２を備える足乗せ部１０と、を有している自転車用子供乗せ１において、自転車用子供乗せ１は、自転車に対して取り外し可能とされていて、座部２には、足乗せ部１０を下方から上方へ跳ね上げ可能に連結する連結部が設けられている。【選択図】図１
2020082847.tif 000002
【特許請求の範囲】
【請求項１】
子供が前方を向いて着座する座部と、着座した前記子供が凭れる背もたれ部と、前記座部の前側に設けられ、着座した前記子供の足を載置することができる左右一対のステップ台を備える足乗せ部と、を有している自転車用子供乗せにおいて、
前記自転車用子供乗せは、自転車に対して取り外し可能とされていて、
前記座部には、前記足乗せ部を下方から上方へ跳ね上げ可能に連結する連結部が設けられている
ことを特徴とする折りたたみ可能な自転車用子供乗せ。
【請求項２】
前記連結部は、当該連結部を回転の中心として、前記足乗せ部を下方から上方に跳ね上げて、前記ステップ台を前記座部の直上に移動させる構成とされている
ことを特徴とする請求項１に記載の折りたたみ可能な自転車用子供乗せ。
【請求項３】
前記背もたれ部には、前記座部に着座した前記子供の前方及び側方を囲って保護するハンドルバーが設けられていて、
前記足乗せ部が跳ね上げられて折りたたまれたときにおいては、前記ステップ台が前記座部の直上であって且つ、前記ハンドルバーで囲われた空間内に位置する
ことを特徴とする請求項２に記載の折りたたみ可能な自転車用子供乗せ。
【請求項４】
前記ハンドルバーは、両端部のうち片側が前記背もたれ部から取り外し可能とし、且つ、前記子供が前記座部に着座したとき、前記背もたれ部から前記ハンドルバーが解除されることを防ぐハンドルロック機構が設けられていて、
前記ハンドルバーは、一端側が前記背もたれ部に揺動自在に取り付けられていると共に、他端側が前記ハンドルロック機構により、前記背もたれ部に対して着脱自在に取り付けられている
ことを特徴とする請求項３に記載の折りたたみ可能な自転車用子供乗せ。
【請求項５】
前記ハンドルバーには、折りたたまれたときに、跳ね上げられた前記足乗せ部との干渉を防ぐ揺動自在の関節部が設けられている
ことを特徴とする請求項４に記載の折りたたみ可能な自転車用子供乗せ。
【請求項６】
折りたたんで前記自転車から取り外す際には、
前記ハンドルロック機構を解除して、前記関節部を曲げながら前記ハンドルバーを前記背もたれ部の前方から側方に移動させ、
前記連結部を回転の中心として前記足乗せ部を下方から上方に跳ね上げて、前記ステップ台を前記座部の直上に移動させ、
跳ね上げ状態の前記足乗せ部を前記ハンドルバーで囲って、前記ハンドルロック機構により当該ハンドルバーを前記背もたれ部に固定する
ことを特徴とする請求項５に記載の折りたたみ可能な自転車用子供乗せ。
【請求項７】
前記連結部には、前記自転車に搭載するときに前記足乗せ部を固定し、折りたたむときに前記足乗せ部の固定を解除する足乗せ部ロック機構が設けられている
ことを特徴とする請求項１〜６のいずれかに記載の折りたたみ可能な自転車用子供乗せ。
【発明の詳細な説明】
【技術分野】
【０００１】
本発明は、自転車に対して、取り付け及び取り外しが可能な子供用の座席に関し、特に、自転車から取り外したときに、コンパクトに折りたためることができる子供座席に関する。
【背景技術】
【０００２】
一般に、保護者が子供とともに自転車に乗って外出する場合、自転車の前側のハンドル部（前輪側）または後側の荷台部（後輪側）に、自転車用子供乗せを取り付け、その座席に子供を着座させて移動することが多い。
自転車用子供乗せの一例としては、例えば、特許文献１に開示されているものがある。
特許文献１は、子供を座らせる座部と、座部の後部で立ち上がり、着座した子供が凭れる背もたれ部と、着座した子供を拘束するシートベルトと、を有する自転車用子供乗せを開示する。この自転車用子供乗せは、着座した子供をシートベルトで確実に座席に拘束することができるので、保護者は自転車に安全に乗車させることができる。
【先行技術文献】
【特許文献】
【０００３】
【特許文献１】特開２０１７−１９０１１６号公報
【発明の概要】
【発明が解決しようとする課題】
【０００４】
特許文献１に開示する自転車用子供乗せなどは、一般に、一台の自転車に確実に取り付けられていることが多い。すなわち、従来の自転車用子供乗せは、一台の自転車に対して固定された専用の座席となっている。
昨今、一台の自転車を複数人が互いに所有したり、借りたりすることができるシェアバイクやレンタルバイクなどが普及してきている。また、シェアバイクやレンタルバイクなどは、外国からの観光客に向けても好評で、更なる普及が期待できる。
【０００５】
このようなシェアバイクやレンタルバイクなどについては、様々な形状の車両があるが、自転車用子供乗せが取り付けられていない自転車のみの場合がある。このような自転車で、保護者が子供とともに自転車に乗って外出しようとした場合、自転車用子供乗せを持っておくことが必要となってくる。
家庭においても、複数の自転車を所有していることがある。例えば、父親の自転車、母親の自転車など、それぞれが乗車する自転車を専用に所有していることがある。この場合、子供とともに乗車するにあたっては、子供用座席をその都度取り付ける必要がある。
【０００６】
しかしながら、上でも述べたように、従来の子供用座席は基本的に一台の自転車に対して搭載される専用のものであり、シェアバイク、レンタルバイク、父母の自転車などに、その都度取り付けることは煩わしいものである。
また、従来の自転車用子供乗せは、自転車に据え付けておくものであるので、大型のものとなっている。このような自転車用子供乗せは、足乗せ部が突出した形状であるので、持ち運びしにくい。また、このような自転車用子供乗せを、未使用時に家などに置いておくことは、不安定となって邪魔となり、収納場所も必要となるので、持っておくことは考えにくい。
【０００７】
そこで、本発明は、上記問題点に鑑み、自転車に対する取り付け及び取り外しを容易にすると共に、取り外し時に座席全体をコンパクトに折りたためる構造とし、持ち運びし易く且つ未使用時に家などに収納しておくことができる折りたたみ可能な自転車用子供乗せを提供することを目的とする。
【課題を解決するための手段】
【０００８】
上記の目的を達成するため、本発明においては以下の技術的手段を講じた。
本発明にかかる折りたたみ可能な自転車用子供乗せは、子供が前方を向いて着座する座部と、着座した前記子供が凭れる背もたれ部と、前記座部の前側に設けられ、着座した前記子供の足を載置することができる左右一対のステップ台を備える足乗せ部と、を有している自転車用子供乗せにおいて、前記自転車用子供乗せは、自転車に対して取り外し可能とされていて、前記座部には、前記足乗せ部を下方から上方へ跳ね上げ可能に連結する連結部が設けられていることを特徴とする。
【０００９】
好ましくは、前記連結部は、当該連結部を回転の中心として、前記足乗せ部を下方から上方に跳ね上げて、前記ステップ台を前記座部の直上に移動させる構成とされているとよい。
好ましくは、前記背もたれ部には、前記座部に着座した前記子供の前方及び側方を囲って保護するハンドルバーが設けられていて、前記足乗せ部が跳ね上げられて折りたたまれたときにおいては、前記ステップ台が前記座部の直上であって且つ、前記ハンドルバーで囲われた空間内に位置するとよい。
【００１０】
好ましくは、前記ハンドルバーは、両端部のうち片側が前記背もたれ部から取り外し可能とし、且つ、前記子供が前記座部に着座したとき、前記背もたれ部から前記ハンドルバーが解除されることを防ぐハンドルロック機構が設けられていて、前記ハンドルバーは、一端側が前記背もたれ部に揺動自在に取り付けられていると共に、他端側が前記ハンドルロック機構により、前記背もたれ部に対して着脱自在に取り付けられているとよい。
【００１１】
好ましくは、前記ハンドルバーには、折りたたまれたときに、跳ね上げられた前記足乗せ部との干渉を防ぐ揺動自在の関節部が設けられているとよい。
好ましくは、折りたたんで前記自転車から取り外す際には、前記ハンドルロック機構を解除して、前記関節部を曲げながら前記ハンドルバーを前記背もたれ部の前方から側方に移動させ、前記連結部を回転の中心として前記足乗せ部を下方から上方に跳ね上げて、前記ステップ台を前記座部の直上に移動させ、跳ね上げ状態の前記足乗せ部を前記ハンドルバーで囲って、前記ハンドルロック機構により当該ハンドルバーを前記背もたれ部に固定するとよい。
【００１２】
好ましくは、前記連結部には、前記自転車に搭載するときに前記足乗せ部を固定し、折りたたむときに前記足乗せ部の固定を解除する足乗せ部ロック機構が設けられているとよい。
【発明の効果】
【００１３】
本発明の折りたたみ可能な自転車用子供乗せによれば、自転車に対する取り付け及び取り外しを容易にすると共に、取り外し時に座席全体をコンパクトに折りたためる構造とし、持ち運びし易く且つ未使用時に家などに収納しておくことができる。
【図面の簡単な説明】
【００１４】
【図１】本発明の折りたたみ可能な自転車用子供乗せの概略を模式的に示した前方斜視図であり、自転車に取り付け可能な状態を示した図である。
【図２】本発明の折りたたみ可能な自転車用子供乗せの概略を模式的に示した後方斜視図であり、自転車に取り付け可能な状態を示した図である。
【図３】自転車用子供乗せを折りたたむときの動作を示した図であり、ハンドルバーに設けられたハンドルロック機構を解除した動作を示した図である。
【図４】自転車用子供乗せを折りたたむときの動作を示した図であり、足乗せ部（ステップ台）を跳ね上げた動作を示した図である。
【図５】自転車用子供乗せを折りたたむときの動作を示した図であり、ハンドルバーを装着した動作を示した図である。
【図６】自転車用子供乗せが折りたたまれた状態（収納状態）を示した正面図である。
【図７】自転車用子供乗せが折りたたまれた状態（収納状態）を示した側面図である。
【図８】ハンドルバーに設けられたハンドルロック機構の拡大図であり、解除された状態を示した図である。
【図９】ハンドルバーに設けられたハンドルロック機構の拡大図であり、係合された状態を示した図である。
【図１０】座部と足乗せ部を連結する連結部に設けられた足乗せ部ロック機構の拡大図である。
【図１１】座部と足乗せ部を連結する連結部に設けられた足乗せ部ロック機構の断面図である。
【図１２】ハンドルロック機構によりハンドルバーが開放されたときの平面図であり、ハンドルバーに設けられた関節部の有無を示した図である。
【図１３】ステップ台を足乗せ部本体に取り付ける動作を示した図である。
【図１４】ステップ台を足乗せ部本体に取り付けるロック部材を示した図である。
【発明を実施するための形態】
【００１５】
以下、本発明にかかる折りたたみ可能な自転車用子供乗せ１の実施形態を、図を参照して説明する。
なお、以下に説明する実施形態は、本発明を具体化した一例であって、その具体例をもって本発明の構成を限定するものではない。また、図面に関して、見やすくするため、一部（例えば、シートベルトなど）を省略して描いている。以降の説明においては、図面において矢印で示される方向を折りたたみ可能な自転車用子供乗せ１を説明する際の方向とする。これは折りたたみ可能な自転車用子供乗せ１に着座した子供から見た方向と一致する。なお、これらの方向については適宜図面中に矢印を用いて示している。
【００１６】
図１は、本発明の折りたたみ可能な自転車用子供乗せ１の概略を模式的に示した前方斜視図であり、自転車に取り付け可能な状態を示す。図２は、本発明の折りたたみ可能な自転車用子供乗せ１の概略を模式的に示した後方斜視図であり、自転車に取り付け可能な状態を示す。
図１、図２などに示すように、本実施形態においては、自転車子供座席の構成について、自転車の後側の荷台部上（サドルの後方であってフレームに支持された後輪の上側）に取り付ける「後乗せタイプ」を例に挙げて説明する。なお、自転車子供座席の構成は、前述した後乗せタイプに限定されるものではなく、自転車の前側のハンドル部（フロントフォークに支持された前輪の上側）に取り付ける「前乗せタイプ」に適用させてもよい。また、自転車子供座席は、自転車用チャイルドシートや、自転車用子供乗せや、幼児用自転車座席等ともいう。
【００１７】
本発明にかかる折りたたみ可能な自転車用子供乗せ１は、子供が、例えば自転車の進行方向（前方）を向いて着座する座部２と、その着座した子供がもたれられる背もたれ部３と、座部２の前側に設けられ、着座した子供の足を載置することができる左右一対のステップ台１２を備える足乗せ部１０と、を有している。
座部２は、子供が着座できる広さを有し、取り付け具などにより自転車の後輪の上方に配備された荷台に搭載可能な構成となっている。座部２は、子供が自転車に跨るように着座するため、中央より幅方向端部が少し低くくなった凸形状の座面となっている。
【００１８】
背もたれ部３は、少なくとも子供の肩部までの高さを有し、子供がもたれかかることができる広さを有している。背もたれ部３は、走行中に子供が左右に移動しないようにするため、中央より幅方向端部が少し前方に湾曲した形状となっている。
背もたれ部３には、走行中に子供が誤って落ちることを防ぐため、座部２に着座した子供の前方及び側方を囲って保護するハンドルバー７が設けられている。ハンドルバー７は、座部２の上方に位置するものであって、座部２の外周に相当する上方を周回するものとなっている。ハンドルバー７は、背もたれ部３の長手方向中途部であって、幅方向右端部から左端部に向かって、掛け渡されるように設けられている。また、ハンドルバー７は、両端部のうち片側が背もたれ部３から取り外し可能とされている。ハンドルバー７は、一端側が背もたれ部３の幅方向右端部に揺動自在に取り付けられていると共に、他端側がハンドルロック機構２４（詳細は後述）により、背もたれ部３の幅方向左端部に対して着脱自在に取り付けられている。
【００１９】
すなわち、ハンドルバー７は、Ｕ字形状に形成されていて、背もたれ部３の幅方向右端部から前方へ突出し、左側に屈曲して座部２の前部の上方を通過し、さらに後側に屈曲して後方へ突出して、背もたれ部３の幅方向左端部に接続されるように取り付けられている。ハンドルバー７は、子供の胸部の前方に位置し、子供が握ることができる太さを有している。
【００２０】
本実施形態においては、ハンドルバー７は、二分割され、左棒体８と右棒体９からなるものである。左棒体８と右棒体９は、関節部３９（詳細は後述）を介して連結されている。ハンドルバー７の幅方向左端部（左棒体８の先端）には、ハンドルロック機構２４（詳細は後述）が設けられている。
本実施形態においては、座部２と背もたれ部３は、一体的に形成された座席本体４となっている。その座席本体４には、子供を座席本体４に拘束する拘束具（図示せず）が備えられている。拘束具は、シートベルトと、そのシートベルトを係合するバックルからなるものである。なお、背もたれ部３について、ヘッドレスト部を備えていても構わない。
【００２１】
足乗せ部１０は、座部２の幅と略同じとされていて、取り付け具などにより自転車の後輪の上方に配備された荷台に搭載可能な構成となっている。足乗せ部１０は、自転車の後輪の上方に配備された荷台に取り付けられる本体部１１と、その本体部１１の左右側方に取り付けられる左右一対のステップ台１２と、を有している。
本体部１１は、荷台に取り付けられる平面部材１３と、その平面部材１３の幅方向両端部から垂下状に形成された左右一対の側面部材１４と、を有している。平面部材１３と側面部材１４は、一体的に形成されている。すなわち、本体部１１は、自転車の後輪を外側から跨ぐような馬鞍形状に形成されている。
【００２２】
本実施形態においては、側面部材１４の後方が外側に湾曲している。この湾曲面は、背面壁１６となっている。すなわち、側面部材１４は、側面壁１５と背面壁１６を有しているものとなっている。また、本体部１１には、自転車の後輪に子供の足が巻き込まれないようにするための遮蔽板１７が、ステップ台１２の前方と後方（背面壁１６）のそれぞれに形成されている。
【００２３】
ステップ台１２は、子供の足を載置することができる広さを有し、その載置面には滑り止め部材１８が設けられている。ステップ台１２の内側縁には、上方へ立ち上がる内側壁１９が形成されている。また、ステップ台１２の後側縁には、上方へ立ち上がる後側壁２０が形成されている。これら内側壁１９と後側壁２０は、一体的に形成されている。
右足用のステップ台１２ａは、右側の側面部材１４ａの下部に取り付けられている。一方、左足用のステップ台１２ｂは、左側の側面部材１４ｂの下部に取り付けられている。なお、内側壁１９と後側壁２０には、ステップ台１２を本体部１１から着脱することを容易にするステップ着脱機構４２（詳細は後述）が設けられている。
【００２４】
さて、本発明の折りたたみ可能な自転車用子供乗せ１は、自転車に容易に取り付けたり、取り外したりすることができる構成となっている。
図３〜図５は、自転車用子供乗せ１を折りたたむときの動作を示す図である。図３は、ハンドルバー７に設けられたハンドルロック機構２４を解除した動作を示す。図４は、足乗せ部１０（ステップ台１２）を跳ね上げた動作を示す。図５は、ハンドルバー７を装着した動作を示す。
【００２５】
図６、図７は、自転車用子供乗せ１が折りたたまれた状態（収納状態）を示す図である。図６は正面図であり、図７は側面図である。
足乗せ部１０は、座部２の前部において、座部２と背もたれ部３とで構成される座席本体４に対して、上下方向に揺動自在に連結されている。すなわち、座部２には、足乗せ部１０を下方から上方へ跳ね上げ可能に連結する連結部２１が設けられている。
【００２６】
連結部２１は、足乗せ部１０を座席本体４側へ折りたたんで、搭載されている自転車から取り外して収納状態にするに際して、当該連結部２１を回転の中心として、足乗せ部１０を下方から上方に跳ね上げて、ステップ台１２を座部２の直上に移動させる構成とされている。
詳しくは、連結部２１は、座部２の前部中央に設けられた切り欠き部５に、足乗せ部１０（本体部１１）の上部後側に形成されているケース体２２が嵌り込む構成とされている。ケース体２２は、左右方向（幅方向）に長い部材であって、内部には軸体２３が格納されている。その軸体２３は、軸心が左右方向を向き、左右両端が座部２の切り欠き部５に回転自在に支持されている。
【００２７】
つまり、足乗せ部１０は、ケース体２２内に格納された軸体２３により、座部２に対して上下方向に揺動自在に支持されている。なお、足乗せ部１０は、座部２の下側に回り込まないような構成となっている。
ここで、自転車用子供乗せ１を折りたたむ手順を簡単に説明する。
図３に示すように、後述するハンドルロック機構２４を解除して、ハンドルバー７を背もたれ部３から取り外して右側に移動させて、座席本体４の前方を空けておく。図４に示すように、足乗せ部１０を跳ね上げて、ステップ台１２を座部２の直上に移動させる。すなわち、足乗せ部１０を座席本体４内に収納する。
【００２８】
図５に示すように、曲げられたハンドルバー７を戻し、ハンドルロック機構２４でハンドルバー７を背もたれ部３に係合する。これにより、足乗せ部１０は、跳ね上げられた状態で保持され、自転車用子供乗せ１が収納状態となる。このとき、足乗せ部１０が跳ね上げられて折りたたまれたときにおいては、ステップ台１２が座部２の直上であって且つ、ハンドルバー７で囲われた空間内（上方）に位置するようになる。そして、取り付け具を解除して、自転車の荷台から収納状態の自転車用子供乗せ１を取り外す。
【００２９】
図８、図９は、ハンドルバー７に設けられたハンドルロック機構２４の拡大図である。図８は、ハンドルロック機構２４が解除された状態を示す。図９は、ハンドルロック機構２４が係合された状態を示す。
ハンドルロック機構２４は、子供が座部２に着座したとき、背もたれ部３からハンドルバー７が解除されることを防ぐ機構である。
【００３０】
ハンドルロック機構２４は、保護者により背もたれ部３の片側から取り外し可能とされたハンドルバー７に設けられている。本実施形態においては、ハンドルロック機構２４を背もたれ部３の左側に設けている。
すなわち、ハンドルバー７は、一端側（右端部）が背もたれ部３に揺動自在に枢支されていると共に、他端側（左端部）がハンドルロック機構２４により、背もたれ部３に対して着脱自在に取り付けられている。言い換えれば、ハンドルバー７は、ハンドルロック機構２４が解除されたとき、右端部を中心に左右方向に揺動する。
【００３１】
図８、図９に示すように、ハンドルロック機構２４は、背もたれ部３の左側部に設けられている係合片２５と、ハンドルバー７の左端部に設けられていて、係合片２５に嵌り込んで係合する係合部材２６と、を有している。
係合片２５は、背もたれ部３の左側部から外側へ張り出した基台６に設けられている部材である。係合片２５は、軸心が上下方向を向いた円柱状の棒材２７で形成されていて、その上端は棒材２７の外径より大きい笠形状とされている。すなわち、係合片２５は、背もたれ部３の左側部に設けられた基台６の上部に、キノコ形状に立設された突起である。
【００３２】
係合部材２６は、ハンドルバー７の左端部に設けられた部材であり、係合片２５が嵌り込む貫通孔２９と、貫通孔２９に対して連通状態に形成されている孔部３０と、その孔部３０に挿入されるスライド部材３１と、を有している。
貫通孔２９は、ハンドルバー７の左端部の上面側に形成されていて、軸心が上下方向を向いている。貫通孔２９の外径は、係合片２５の笠部２８の外径と略同じ径、又は、少し広い径とされている。
【００３３】
孔部３０は、ハンドルバー７の左端部の外側に開口された部材であり、軸心が左右方向（幅方向）を向いている。その孔部３０には、バネ３２（コイルバネ）が格納されていると共に、スライド部材３１が摺動自在に嵌め込まれている。
スライド部材３１は、矩形の部材であり、その中央には貫通孔３３が形成されている。その貫通孔３３は、係合時に係合片２５が挿入されるものである。また、スライド部材３１は、先端がハンドルバー７の左端部から外側に突出するように備えられている。この突出部分は、押しボタン３１ａとなっている。この押しボタン３１ａが押されると、スライド部材３１は孔部３０内を摺動すると共に貫通孔２９の下側を移動する。
【００３４】
すなわち、ハンドルロック機構２４としては、図８に示すように、押しボタン３１ａを押してバネ３２を縮めて、スライド部材３１を内側に移動させる。このとき、ハンドルバー７の左端部に設けられている貫通孔２９と、スライド部材３１の貫通孔３３とが連通状態となる。
その状態で、ハンドルバー７の左端部を、係合片２５に被せるように取り付ける。係合片２５が連通状態の貫通孔２９、３３に嵌り込み、背もたれ部３の基台６は、係合部材２６の下側に形成された空間に嵌り込む。
【００３５】
ここで、図９に示すように、押しボタン３１ａを戻してスライド部材３１を外側に移動させると、バネ３２が伸びるので、それぞれの貫通孔２９、３３がずれるようになる。すると、スライド部材３１がバネ３２の反力で係合片２５に押し付けられる。このとき、スライド部材３１は、係合片２５の括れた部位（笠部２８と棒材２７の切り替え部位）に係合するようになる。
【００３６】
つまり、スライド部材３１を押したり、離したりすることで、孔部３０内の格納されたバネ３２の反力を利用することにより、係合片２５と係合部材２６の係合と解除を操作する。
なお、ハンドルロック機構２４について、本実施形態では、背もたれ部３の左側に設けたものとしたが、背もたれ部３の右側に設けるようにしても構わない。ハンドルロック機構２４を背もたれ部３の右側に設けた場合、ハンドルバー７の左端部は、背もたれ部３の左側に揺動自在に枢支される。
【００３７】
ハンドルロック機構２４を設けることで、自転車用子供乗せ１の折りたたみをスムーズにすることができる。また、子供が座部２に着座しているときに、ハンドルバー７が背もたれ部３から予期せずに解除されることを防ぐことができ、安全に着座させることができる。
図１０は、座部２と足乗せ部１０を連結する連結部２１に設けられた足乗せ部ロック機構３４の拡大図である。図１１は、足乗せ部ロック機構３４の断面図である。
【００３８】
図１０に示すように、足乗せ部ロック機構３４は、連結部２１に設けられていて、自転車に搭載するときに座部２と足乗せ部１０とを固定するものである。また、足乗せ部ロック機構３４は、座部２と足乗せ部１０との固定状態を解除して、足乗せ部１０を揺動自在にして折りたためるようにする。
足乗せ部ロック機構３４は、座部２に設けられている爪部３６が、足乗せ部１０（本体部１１）に設けられている孔部３７に挿入されることにより、座部２と足乗せ部１０とを固定するものである。具体的には、足乗せ部ロック機構３４は、座部２に設けられていて、座部２と足乗せ部１０との固定・解除を行う押しボタン３５と、押しボタン３５に設けられている爪部３６と、足乗せ部１０に設けられていて、爪部３６が挿入される孔部３７と、押しボタン３５の下側に設けられているバネ３８と、を有している。
【００３９】
図１１に示すように、押しボタン３５は、側方断面視で、弾性部材で形成され、下部が鉤状に形成されている部材である。押しボタン３５の上部（押圧部）は、連結部２１の軸体２３が貫通している。押圧部の下方には、座部２と足乗せ部１０のロック状態を維持するバネ３８（コイルバネ）が格納されている。押しボタン３５は、通常、バネ３８の反力により押し上げられる状態となっている。
【００４０】
一方、押しボタン３５の下部は、前方に突出し、その突出した先端は上方に屈曲している。この屈曲部位が、爪部３６とされている。
押しボタン３５がバネ３８の反力により押し上げられることにより、爪部３６が足乗せ部１０の本体部１１に形成されている孔部３７に係合されるので、座部２と足乗せ部１０がロックされる。バネ３８の反力と、押しボタン３５が弾性部材であることにより、つまり、爪部３６と孔部３７の係合状態が維持されているので、押しボタン３５を押さずとも自動的にロックされている。つまり、足乗せ部１０が跳ね上がることはない。
【００４１】
これにより、自転車用子供乗せ１は、足乗せ部１０が座席本体４（背もたれ部３・座部２）の下方にて固定されることとなり、子供が着座できるようになる。すなわち、自転車用子供乗せ１は、自転車に取り付け可能な状態となる。
一方、自転車から自転車用子供乗せ１を取り外す場合、押しボタン３５を下方向に押すとバネ３８が縮むことにより、押しボタン３５が下降すると共に、爪部３６が下降することとなる。これにより、爪部３６は、足乗せ部１０の本体部１１に形成されている孔部３７から外れることとなるので、爪部３６と孔部３７の係合が解除される。足乗せ部１０はフリーな状態となる。
【００４２】
これにより、自転車用子供乗せ１は、足乗せ部１０が跳ね上げ可能な状態となり、座席本体４（背もたれ部３・座部２）側に折りたたむことが可能となる。すなわち、自転車用子供乗せ１は、自転車に取り外し可能な状態となる。
図１２は、ハンドルロック機構２４によりハンドルバー７が開放されたときの平面図であり、ハンドルバー７に設けられた関節部３９の有無を示す。
【００４３】
図１２に示すように、ハンドルバー７には、折りたたまれたときに、跳ね上げられた足乗せ部１０との干渉を防ぐ揺動自在の関節部３９が、少なくとも一つ以上設けられている。
関節部３９は、ハンドルバー７の左前側に一つ設けられている。すなわち、関節部３９は、ハンドルバー７を二分割し、その右棒体９と左棒体８を連結するものとなっている。関節部３９は、右棒体９の先端に設けられ、軸心が上下方向を向いた軸体４０と、左棒体８の先端に設けられ、軸体４０が挿入される連結部材４１と、を有している。左棒体８は、右棒体９に設けられている軸体４０の軸心回りに回動する。
【００４４】
関節部３９を設けている理由としては、足乗せ部１０が跳ね上げできる構成となっているからである。詳しくは、足乗せ部１０を座席本体４側に跳ね上げた状態（図４〜図７参照）とした場合、ハンドルバー７に関節部３９を設けていないと、ロックを解除しハンドルバー７を広げたとき、ハンドルバー７の左端部が跳ね上げた足乗せ部１０に接触（干渉）してしまうからである。
【００４５】
この知見により、ハンドルバー７に関節部３９を設けることとした。図１２に示すように、関節部３９を設けることにより、ハンドルバー７の左棒体８を外側に逃がすことができるようになるので、跳ね上げた足乗せ部１０との干渉を回避することができる。
図１３は、ステップ台１２を足乗せ部１０本体に取り付ける動作（ステップ着脱機構４２）を示す図である。図１４は、ステップ台１２を足乗せ部１０本体に取り付けるロック部材を示す図である。なお、図１４は、ロック部材４６の内部を見やすくするため、スケルトン図としている。
【００４６】
図１３、図１４に示すように、ステップ着脱機構４２は、足乗せ部１０の本体部１１に対し、ステップ台１２の取り付け・取り外しを容易にする機構である。
ステップ着脱機構４２は、ステップ台１２に設けられた取り付け凸部４３と、足乗せ部１０の本体部１１に形成され、取り付け凸部４３が挿入される取り付け孔部４５と、挿入された取り付け凸部４３をロックするロック部材４６と、を有している。
【００４７】
右足用のステップ台１２ａに着目して、具体的に説明する。
取り付け孔部４５は、取り付け凸部４３が挿入されるものであり、側面壁１５と背面壁１６にそれぞれ形成されている。
取り付け凸部４３は、ステップ台１２ａの内側壁１９と後側壁２０にそれぞれ設けられている。ステップ台１２ａの内側壁１９には、取り付け凸部４３ａが設けられている。この取り付け凸部４３ａは、側面部材１４の側面壁１５に設けられた取り付け孔部４５ａに挿入されて、後方へスライドされることによりロックされる。
【００４８】
ステップ台１２ａの後側壁２０には、取り付け凸部４３ｂが設けられている。この取り付け凸部４３ｂには、ロック部材４６が取り付けられる貫通孔４４が設けられている。取り付け凸部４３ｂは、側面部材１４の背面壁１６に設けられた取り付け孔部４５ｂに挿入される。
ロック部材４６は、取り付け孔部４５ｂに挿入された取り付け凸部４３ｂをロックするものである。ロック部材４６には、弾性体で形成された挿入部材４７と、取り付け凸部４３ｂに係合される爪部４８が設けられている。挿入部材４７は、取り付け凸部４３ｂに設けられた貫通孔４４に挿入される。
【００４９】
具体的には、ステップ台１２ａを本体部１１に近づけて、取り付け凸部４３を取り付け孔部４５にそれぞれ挿入する。そのステップ台１２ａを後方にスライドさせる。取り付け凸部４３ａは、取り付け孔部４５ａにて固定され、本体部１１にロックされる。
取り付け凸部４３ｂは、取り付け孔部４５ｂに挿入されると、後方へ突出するようになる。ロック部材４６を上方から下方へスライドさせて、突出した取り付け凸部４３ｂに取り付ける。ロック部材４６の挿入部材４７は、下方にスライドして貫通孔４４に挿入される。すると、ロック部材４６の爪部４８が、取り付け凸部４３ｂに係合される。これにより、取り付け凸部４３ｂは、本体部１１にロックされる。
【００５０】
なお、側面部材１４の背面壁１６は傾斜面とされ、且つ、挿入部材４７が弾性体で形成されていることにより、ロック部材４６が本体部１１に対して押し付けるように取り付けられることとなるので、本体部１１に確実にロックされることとなる。
ステップ着脱機構４２を設けることで、子供は身長に合わせて、ステップ台１２の高さを変えることができるようになる。
［作動態様］
次いで、本発明の折りたたみ可能な自転車用子供乗せ１の作動態様について、図を参照しながら説明する。
【００５１】
図３に戻って、自転車用子供乗せ１を折りたたむにあたって、まず、ハンドルロック機構２４の押しボタン３１ａ（スライド部材３１）を押して、係合部材２６を係合片２５から外すことにより、ハンドルロックを解除する。ハンドルバー７を背もたれ部３から取り外し、関節部３９によりハンドルバー７を大きく曲げて、座席本体４の右側に移動させる。座席本体４の前方には、大きな空間が確保されている。
【００５２】
図４に示すように、連結部２１に設けられた足乗せ部ロック機構３４の押しボタン３５を押して、座部２に設けられている爪部３６と、足乗せ部１０に設けられている孔部３７の係合を解除することにより、足乗せ部１０のロックを解除する。連結部２１を回転の中心として、足乗せ部１０を下方から上方（座席本体４側）に跳ね上げて、ステップ台１２を座部２の直上に移動させる。すなわち、足乗せ部１０を座席本体４内に収納する。
【００５３】
図５に示すように、足乗せ部１０を座席本体４側に跳ね上げた状態において、ハンドルバー７を座席本体４の右側から前方に移動させる。ハンドルバー７の左端部（左棒体８）を背もたれ部３の左側部に近づけて、係合部材２６を係合片２５に係合させて、ハンドルバー７をハンドルロック機構２４により背もたれ部３にロックする。足乗せ部１０は、ハンドルバー７で囲われて、跳ね上げられた状態で保持される。このとき、足乗せ部１０のステップ台１２は、座部２の直上であって且つ、ハンドルバー７で囲われた空間内（上方）に位置している。
【００５４】
これにより、自転車用子供乗せ１は、足乗せ部１０が跳ね上げられて折りたたまれた状態となり、小さな矩形状となる。そして、取り付け具を解除して、自転車の荷台等から自転車用子供乗せ１を取り外すことができる。
本発明の折りたたみ可能な自転車用子供乗せ１によれば、自転車に対する取り付け及び取り外しを容易にすると共に、取り外し時に座席全体をコンパクトに折りたためる構造とし、持ち運びし易く且つ未使用時に家などで足乗せ部１０が突出していない安定した形状で場所を取らずに収納しておくことができる。
【００５５】
なお、今回開示された実施形態はすべての点で例示であって制限的なものではないと考えられるべきである。
特に、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【００５６】
なお、本発明の自転車用子供乗せ１が好適に使用される自転車については、一般的な自転車であってもよいし、電動アシスト機能を備えているものでも構わない。
【符号の説明】
【００５７】
１  自転車用子供乗せ
２  座部
３  背もたれ部
４  座席本体
５  切り欠き部
６  基台
７  ハンドルバー
８  右棒体
９  左棒体
１０  足乗せ部
１１  本体部
１２  ステップ台
１２ａ  ステップ台（右足）
１２ｂ  ステップ台（左足）
１３  平面部材
１４  側面部材
１４ａ  側面部材（右側）
１４ｂ  側面部材（左側）
１５  側面壁
１６  背面壁
１７  遮蔽板
１８  滑り止め部材
１９  内側壁
２０  後側壁
２１  連結部
２２  ケース体
２３  軸体
２４  ハンドルロック機構
２５  係合片
２６  係合部材
２７  棒材
２８  笠部
２９  貫通孔
３０  孔部
３１  スライド部材
３１ａ  押しボタン
３２  バネ
３３  貫通孔
３４  足乗せ部ロック機構
３５  押しボタン
３６  爪部
３７  孔部
３８  バネ
３９  関節部
４０  軸体
４１  連結部材
４２  ステップ着脱機構
４３  取り付け凸部
４３ａ  取り付け凸部（ステップ台の内側壁）
４３ｂ  取り付け凸部（ステップ台の後側壁）
４４  貫通孔
４５  取り付け孔部
４５ａ  取り付け孔部（側面部材の側面壁）
４５ｂ  取り付け孔部（側面部材の背面壁）
４６  ロック部材
４７  挿入部材
４８  爪部
【図１】
2020082847.tif 000003
【図２】
2020082847.tif 000004
【図３】
2020082847.tif 000005
【図４】
2020082847.tif 000006
【図５】
2020082847.tif 000007
【図６】
2020082847.tif 000008
【図７】
2020082847.tif 000009
【図８】
2020082847.tif 000010
【図９】
2020082847.tif 000011
【図１０】
2020082847.tif 000012
【図１１】
2020082847.tif 000013
【図１２】
2020082847.tif 000014
【図１３】
2020082847.tif 000015
【図１４】
2020082847.tif 000016